(57)【要約】【課題】様々な設置スペースに対して柔軟に対応し得る商品陳列什器を提供すること。【解決手段】本発明による商品陳列什器は、複数の構造体を組み合わせてなるものである。各構造体は、商品を展示する展示面と、他の構造体を水平方向に隣接配置させるための水平固定部と、他の構造体を垂直方向に隣接配置させるための垂直固定部と、構造体の展示面と他の構造体の展示面とが直交するように他の構造体を隣接配置させるための奥行固定部とを有している。本発明によれば、設置スペースに応じて、水平方向及び垂直方向において構造体を自由に組み合わせることができる。【選択図】図１
2018015519.tif 000002
【特許請求の範囲】
【請求項１】
複数の構造体を組み合わせてなる商品陳列什器であって、
前記構造体は、商品を展示する展示面と、他の前記構造体を水平方向、垂直方向又は奥行方向の少なくともいずれかにおいて隣接配置させるための固定部を有する
商品陳列什器。
【請求項２】
請求項１に記載の商品陳列什器であって、他の前記構造体を水平方向において隣接配置させるための水平固定部と、他の前記構造体を垂直方向に隣接配置させるための垂直固定部と、他の前記構造体を奥行方向に隣接配置させるための奥行固定部とを有する、
商品陳列什器。
【請求項３】
請求項２に記載の商品陳列什器であって、
前記複数の構造体は、互いに同一形状を有し、金属板を折り曲げ加工することによって前記展示面を有する正面と背面と前記正面及び前記背面を接続する２つの側面とを含む略筒状の形状を有している、
商品陳列什器。
【請求項４】
請求項３に記載の商品陳列什器であって、
前記水平固定部は、一の前記側面に形成された凸部及び他の前記側面に形成された凹部であって、夫々、他の前記構造体の前記凹部又は前記凸部と嵌合する、
商品陳列什器。
【請求項５】
請求項３又は請求項４に記載の商品陳列什器であって、
前記垂直固定部は、前記側面に形成され他の前記構造体の一部に差し込まれる鍔状部である、
商品陳列什器。
【請求項６】
請求項３乃至請求項５のいずれかに記載の商品陳列什器であって、
前記奥行固定部は、前記背面に形成されたスリット及び前記凹部に形成された係止凸部を含み、当該スリットに前記他の構造体の前記係止凸部が差し込まれることによって垂直方向に沿って見た場合に前記構造体と前記他の構造体とが略Ｌ字形状を構成するように、前記構造体と前記他の構造体とを固定する、
商品陳列什器。
【請求項７】
請求項３乃至請求項５のいずれかに記載の商品陳列什器であって、
前記奥行固定部は、前記背面に形成された係止凹部を含み、当該係止凹部に前記他の構造体の前記凸部が嵌合することによって垂直方向に沿って見た場合に前記構造体と前記他の構造体とが略Ｔ字形状を構成するように、前記構造体と前記他の構造体とを固定する、
商品陳列什器。
【請求項８】
請求項３乃至請求項７のいずれかに記載の商品陳列什器であって、
前記奥行固定部は、他の構造体を背中合わせに隣接配置させた状態で固定する、
商品陳列什器。
【請求項９】
請求項３乃至請求項８のいずれかに記載の商品陳列什器であって、
前記展示面は、前記正面の一部を後方に凹ませることにより形成された面である、
商品陳列什器。
【請求項１０】
請求項１に記載の商品陳列什器であって、
前記構造体は、商品を展示する展示面と、他の前記構造体を水平方向に隣接配置させるための水平固定部と、他の前記構造体を奥行方向に隣接配置させるための奥行固定部とを有する、
商品陳列什器。
【請求項１１】
請求項１０に記載の商品陳列什器であって、
前記複数の構造体は、互いに同一形状を有し、前記展示面を有する面を正面とする略直方体の箱形状を有している、
商品陳列什器。
【請求項１２】
請求項１１に記載の商品陳列什器であって、
前記水平固定部は、前記構造体の少なくとも左右いずれかの側面に取り付けられた磁石である、
商品陳列什器。
【請求項１３】
請求項１１又は請求項１２のいずれかに記載の商品陳列什器であって、
前記奥行固定部は、前記構造体の背面に取り付けられた磁石である、
商品陳列什器。
【請求項１４】
請求項１０乃至請求項１３のいずれかに記載の商品陳列什器であって、
前記構造体の上側面に設けられたポッププレート用取付部を更に有する、
商品陳列什器。
【請求項１５】
請求項１０乃至請求項１４のいずれかに記載の商品陳列什器であって、
前記構造体の下側面に設けられ前方に延びる脚部を更に有する、
商品陳列什器。
【請求項１６】
請求項１乃至請求項１５のいずれかに記載の商品陳列什器であって、
前記展示面には、前記商品を吊り下げ陳列するための少なくとも一のフックが形成されている、
商品陳列什器。
【請求項１７】
請求項１乃至請求項１６のいずれかに記載の商品陳列什器に用いるための前記構造体。
【発明の詳細な説明】
【技術分野】
【０００１】
本発明は、商品陳列什器に関し、特に、同一形状を有する複数の構造体を組み合わせてなる商品陳列什器に関する。
【背景技術】
【０００２】
複数種の厚みのない商品（例えば、カード等）を陳列する広告具が特許文献１に開示されている。特許文献１に開示された広告具は、広告具本体が回転することにより、所望とする商品の選択を容易にしている。
【先行技術文献】
【特許文献】
【０００３】
【特許文献１】特開２００８−８９６５０号公報
【発明の概要】
【発明が解決しようとする課題】
【０００４】
特許文献１に開示されている広告具は、少なくとも広告具本体よりも広いスペースがなければ設置することができず、店舗内の様々な設置スペースに対して柔軟に対応することができない。
【０００５】
そこで、本発明は、様々な設置スペースに対して柔軟に対応し得る商品陳列什器を提供することを目的とする。
【課題を解決するための手段】
【０００６】
本発明によれば、第１の商品陳列什器として、
複数の構造体を組み合わせてなる商品陳列什器であって、
前記構造体は、商品を展示する展示面と、他の前記構造体を水平方向、垂直方向又は奥行方向の少なくともいずれかにおいて隣接配置させるための固定部を有する
商品陳列什器が得られる。
【０００７】
また、本発明によれば、第２の商品陳列什器として、第１に記載の商品陳列什器であって、
他の前記構造体を水平方向において隣接配置させるための水平固定部と、他の前記構造体を垂直方向に隣接配置させるための垂直固定部と、他の前記構造体を奥行方向に隣接配置させるための奥行固定部とを有する、
商品陳列什器が得られる。
【０００８】
また、本発明によれば、第３の商品陳列什器として、第２に記載の商品陳列什器であって、
前記複数の構造体は、互いに同一形状を有し、金属板を折り曲げ加工することによって前記展示面を有する正面と背面と前記正面及び前記背面を接続する２つの側面とを含む略筒状の形状を有している、
商品陳列什器が得られる。
【０００９】
また、本発明によれば、第４の商品陳列什器として、第３に記載の商品陳列什器であって、
前記水平固定部は、一の前記側面に形成された凸部及び他の前記側面に形成された凹部であって、夫々、他の前記構造体の前記凹部又は前記凸部と嵌合する、
商品陳列什器が得られる。
【００１０】
また、本発明によれば、第５の商品陳列什器として、第４に記載の商品陳列什器であって、
前記垂直固定部は、前記側面に形成され他の前記構造体の一部に差し込まれる鍔状部である、
商品陳列什器が得られる。
【００１１】
また、本発明によれば、第６の商品陳列什器として、第３乃至第５のいずれかに記載の商品陳列什器であって、
前記奥行固定部は、前記背面に形成されたスリット及び前記凹部に形成された係止凸部を含み、当該スリットに前記他の構造体の前記係止凸部が差し込まれることによって垂直方向に沿って見た場合に前記構造体と前記他の構造体とが略Ｌ字形状を構成するように、前記構造体と前記他の構造体とを固定する、
商品陳列什器が得られる。
【００１２】
また、本発明によれば、第７の商品陳列什器として、第３乃至第５のいずれかに記載の商品陳列什器であって、
前記奥行固定部は、前記背面に形成された係止凹部を含み、当該係止凹部に前記他の構造体の前記凸部が嵌合することによって垂直方向に沿って見た場合に前記構造体と前記他の構造体とが略Ｔ字形状を構成するように、前記構造体と前記他の構造体とを固定する、
商品陳列什器が得られる。
【００１３】
また、本発明によれば、第８の商品陳列什器として、第３乃至第７のいずれかに記載の商品陳列什器であって、
前記奥行固定部は、他の構造体を背中合わせに隣接配置させた状態で固定する、
商品陳列什器が得られる。
【００１４】
また、本発明によれば、第９の商品陳列什器として、第３乃至第８のいずれかに記載の商品陳列什器であって、
前記展示面は、前記正面の一部を後方に凹ませることにより形成された面である、
商品陳列什器が得られる。
【００１５】
また、本発明によれば、第１０の商品陳列什器として、第１に記載の商品陳列什器であって、
前記構造体は、商品を展示する展示面と、他の前記構造体を水平方向に隣接配置させるための水平固定部と、他の前記構造体を奥行方向に隣接配置させるための奥行固定部とを有する、
商品陳列什器が得られる。
【００１６】
また、本発明によれば、第１１の商品陳列什器として、第１０に記載の商品陳列什器であって、
前記複数の構造体は、互いに同一形状を有し、前記展示面を有する面を正面とする略直方体の箱形状を有している、
商品陳列什器が得られる。
【００１７】
また、本発明によれば、第１２の商品陳列什器として、第１１に記載の商品陳列什器であって、
前記水平固定部は、前記構造体の少なくとも左右いずれかの側面に取り付けられた磁石である、
商品陳列什器が得られる。
【００１８】
また、本発明によれば、第１３の商品陳列什器として、第１１又は第１２のいずれかに記載の商品陳列什器であって、
前記奥行固定部は、前記構造体の背面に取り付けられた磁石である、
商品陳列什器が得られる。
【００１９】
また、本発明によれば、第１４の商品陳列什器として、第１０乃至第１３のいずれかに記載の商品陳列什器であって、
前記構造体の上側面に設けられたプレート取付部を更に有する、
商品陳列什器が得られる。
【００２０】
また、本発明によれば、第１５の商品陳列什器として、第１０乃至第１４のいずれかに記載の商品陳列什器であって、
前記構造体の下側面に設けられ前方に延びる脚部を更に有する、
商品陳列什器が得られる。
【００２１】
また、本発明によれば、第１６の商品陳列什器として、第１乃至第１５のいずれかに記載の商品陳列什器であって、
前記展示面には、前記商品を吊り下げ陳列するための少なくとも一のフックが形成されている、
商品陳列什器が得られる。
【００２２】
また、本発明によれば、第１７の商品陳列什器として、第１乃至第１６に記載の商品陳列什器に用いられるための前記構造体が得られる。
【発明の効果】
【００２３】
本発明によれば、様々な設置スペースに対して柔軟に対応し得る商品陳列什器を提供することができる。
【図面の簡単な説明】
【００２４】
【図１】本発明の第１の実施の形態による商品陳列什器の外観図である。
【図２】図１の商品陳列什器を構成する構造体の正面斜視図である。
【図３】図１の商品陳列什器を構成する構造体の背面斜視図である。
【図４】本発明の第１の実施の形態による商品陳列什器の外観図である。
【図５】本発明の第１の実施の形態による商品陳列什器の外観図である。
【図６】図５に示される商品陳列什器の他の方向から見た外観図である。
【図７】本発明の第１の実施の形態による商品陳列什器の外観図である。
【図８】本発明の第２の実施の形態による商品陳列什器に用いられる構造体の外観図である。
【図９】図８の構造体の第２の実施の形態による商品陳列什器の外観図である。
【図１０】図８の構造体を水平方向に隣接配置させた状態を示す外観図である。
【図１１】図８の構造体を水平方向に隣接配置させた状態を示す他の外観図である。
【図１２】図８の構造体を奥行方向に背中合わせに隣接配置させた状態を示す他の外観図である。
【図１３】図８の構造体の使用状態を表す示す外観図である。
【図１４】図８の構造体を水平配置させた状態を示す外観図である。なお、磁石を波線及び１点鎖線で表している。
【図１５】図８の構造体をＬ字配置させた状態を示す外観図である。
【発明を実施するための形態】
【００２５】
（第１の実施の形態）
以下、図面を参照しながら、本発明の第１の実施の形態による商品陳列什器を説明する。図１に示されるように、本実施の形態による商品陳列什器１は、プリペイドカード、ギフトカード等のようにカード状の（厚みのない）商品を陳列する用途に特に適している。商品陳列什器１は、複数の構造体１００を組み合わせてなるものである。このように複数の構造体１００を様々な方向に沿って組み合わせることによって、設置場所に合わせた形状を作ることができ、設置スペースに対して柔軟に対応することができる。
【００２６】
図１乃至図３から理解されるように、本実施の形態による構造体１００は、互いに同一形状を有している。構造体１００は、複数の金属板を折り曲げ加工することによって正面１１０と、右側面１１２と、左側面１１４と、背面１１６とを有する断面が略四角形の筒形状を有している。なお、本実施の形態による商品陳列什器１に用いられている構造体１００は、全て同一形状を有しているが、設置場所や使用する商品の性質に応じて、形状は適宜変更可能である。
【００２７】
図２及び図３に示されるように、構造体１００の正面１１０には、商品（図示せず）を展示する展示面１２０と、商品を吊り下げるためのフック１２２が設けられている。展示面１２０は、正面１１０を奥行方向に凹ませた面であり、当該凹み部分は商品陳列のためのスペースとなる。フック１２２の形状、数及び位置は、展示面１２０に展示する商品（又はその包装）の形状や性質によって適宜変更してもよい。
【００２８】
構造体１００は、他の構造体１００を水平方向（Ｘ方向：左右方向）に隣接配置（以下「水平配置」という。）させるための凸部１３０及び凹部１３５と、他の構造体１０を垂直方向（Ｙ方向：上下方向）に隣接配置（以下「垂直配置」という。）させるための鍔状部１５０及び受部１５５（垂直固定部）を有している。
【００２９】
また、本実施の形態による構造体１００は、当該構造体の展示面１２０と他の構造体１００の展示面１２０とが直交するように他の構造体を隣接配置させることもできる。詳しくは、構造体１００は、垂直方向に沿って見た場合に構造体１００と他の構造体１００とが略Ｌ字形状を構成するように隣接配置（以下「Ｌ字配置」という。）させるための係止突起１３８及びスリット１６０と、垂直方向に沿って見た場合に構造体１００と他の構造体１００とが略Ｔ字形状を構成するように隣接配置（以下「Ｔ字配置」という。）させるための凸部１３０及び凹部１７０を有している。
【００３０】
更に、本実施の形態による構造体１００は、構造体１００と他の構造体１００を背中合わせに（即ち、背面同士が接触又は近接するように）隣接配置（以下「背面配置」という）させるための係止突起１７５及びスリット１８０を有している。
【００３１】
以上説明したように、本実施の形態による構造体１００は、水平配置、垂直配置、Ｌ字配置、Ｔ字配置及び背面配置の５通りの方法又はこれらの組み合わせによって固定させることができる。以下、夫々の固定方法について図２及び図３を参照して詳細に説明する。
【００３２】
＜水平配置＞
図２によく示されるように、構造体１００の右側面１１２には、水平方向に突出し且つ垂直方向に延びる凸部１３０が形成されている。凸部１３０の奥行方向（Ｚ方向：前後方向）における幅は均一であり、水平方向に沿って見た場合に垂直方向に延びる長方形の形状を有している。一方、図３によく示されるように、構造体１００の左側面１１４には、水平方向に陥没し且つ垂直方向に延びる凹部１３５が形成されている。凹部１３５の奥行方向における幅は均一であり、水平方向に沿って見た場合に垂直方向に延びる長方形形状を有している。
【００３３】
構造体１００同士を水平配置する場合、一方の構造体１００の凸部１３０を他方の構造体１００の凹部１３５に嵌合させることにより行う。この際、一方の構造体１００の右側面１１２に形成されたスリット１３７に対して他方の構造体１００の左側面の上端に形成された係止突起１３８が係止する。本実施の形態においては、凹部１３５の奥行方向における最大幅は、凸部１３０の奥行方向における最大幅よりも僅かに小さくされている。このため、嵌合時に一定の力を加えることを要するが、一度嵌合してしまえば凸部１３０の奥行方向にかかる復元力によって凹部１３５と強固に嵌合することができる。
【００３４】
＜垂直配置＞
図１乃至図３に示されるように、構造体１００の右側面１１２の下端には、垂直方向に沿って見た場合に凸部１３０から奥行方向に鍔状に延びる鍔状部１５０が形成されている。同様に、構造体１００の左側面１１４の下端にも、垂直方向に沿って見た場合に凹部１３５から奥行方向に鍔状に延びる鍔状部１５０が形成されている。一方、構造体１００の右側面１１２及び左側面１１４夫々の上端には、奥行方向において互いに内側に向かって延びる受部１５５が形成されている。
【００３５】
構造体１００同士を垂直配置する場合、一方の構造体１００の鍔状部１５０が他方の構造体１００の受部１５５に沿うように互いに嵌合せることにより行う。本実施の形態においては、鍔状部１５０は水平方向において僅かに内側に向けて曲げられている。これにより、右側面１１２に形成された鍔状部１５０と左側面１１４に形成された鍔状部１５０との水平方向における距離ＷＬは、右側面１１２に形成された受部１５５と左側面１１４に形成された鍔状部１５５との水平方向における距離ＷＵよりも僅かに小さなり、垂直方向に嵌合させやすくなる。かかる構造により、嵌合時には、鍔状部１５０は受部１５５よりも内側に位置する。
【００３６】
＜Ｌ字配置＞
図２乃至図４に示されるように、構造体１００の背面１１６の上端の右側面１１２よりにはスリット１６０が形成されている。
【００３７】
構造体１００同士をＬ字配置させる場合、一方の構造体１００のスリット１６０に他方の構造体１００の係止突起１３８が軽視するように組み合わせる。これにより、構造体１００同士がＬ字状に配置される。なお、４つの構造体１００を互いにＬ字配置することにより（換言すれば、Ｌ字配置された２つの構造体１００を２組組み合わせることにより）、垂直方向に沿ってみた場合にロ字状に固定させることができる。これにより、４つの係止突起１３８及びスリット１６０の組によって、水平方向及び垂直方向に働く力が加わったとしても、組み合わされた構造が崩れることを防止できる。
【００３８】
＜Ｔ字配置＞
図２、図３、図５及び図６に示されるように、構造体１００の背面１１６の中心付近には垂直方向に延びる凹部１７０が形成されている。凹部１７０は、上述した凹部１３５と同様の形状、即ち奥行方向に陥没し且つ垂直方向に延びている。また凹部１７０の水平方向における幅は均一であり、奥行方向に沿って見た場合に垂直方向に延びる長方形形状を有している。また背面１１６の上端であって凹部１７０付近には奥行方向に突出する係止突起１７５が形成されている。
【００３９】
構造体１００同士をＴ字配置させる場合、一方の構造体１００の凹部１７０に対して、他方の構造体１００の凸部１３０を嵌合させる。この際、一方の構造体１００の係止突起１７５が他方の構造体１００のスリット１３７に係止する。上述した水平配置と同様に、本実施の形態においては、凹部１７０の水平方向における最大幅は、凸部１３０の最大幅よりも僅かに小さく形成されている。このため、嵌合時に一定の力を加えることを要するが、一度嵌合してしまえば凸部１３０の復元力によって凹部１７０と強固に嵌合することができる。
【００４０】
＜背面配置＞
図２、図３及び図７によく示されるように、１００の係止突起１７５の凹部１７０を挟んだ反対側にはスリット１８０が形成されている。係止突起１７５と凹部１７０は、構造体１００の水平方向における中心に関して水平対称となる位置に形成されている。
【００４１】
構造体１００同士を背面配置する場合、一方の係止突起１７５を他方の構造体１００のスリット１８０に係止させる。
【００４２】
（第２の実施の形態）
以下、図面を参照しながら、本発明の第２の実施の形態による商品陳列什器を説明する。上述した第１の実施の形態と同様に、本実施の形態による商品陳列什器も、プリペイドカード、ギフトカード等のようにカード状の（厚みのない）商品を陳列する用途に特に適しており、図８に示される複数の構造体２００を組み合わせてなるものである。複数の構造体２００を様々な方向に沿って組み合わせることによって、設置場所に合わせた形状を作ることができ、設置スペースに対して柔軟に対応することができる。
【００４３】
図８及び図１０から理解されるように、本実施の形態による構造体２００は、互いに同一形状を有している。構造体２００は、正面２１０と、右側面２１２と、左側面２１４と、背面２１６と、上側面２１８と、下側面２１９とを有する略直方体の箱形状を有している。なお、本実施の形態による商品陳列什器に用いられている構造体２００は、全て同一形状を有しているが、設置場所や使用する商品の性質に応じて、形状は適宜変更可能である。
【００４４】
図８に示されるように、構造体２００の正面２１０には、商品（図示せず）を展示する展示面２２０と、商品を吊り下げるためのフック２２２が設けられている。本実施の形態による構造体２００の下側面２１９には、前方に延びるベース（脚部）２９０が設けられている。第１の実施の形態と異なり、本実施の形態による展示面２２０は、正面２１０と同一面上（面一）に設けられている。従って、ベース２９０の突き出し量は、フック２２２に吊り下げられた商品の重みによって構造体２００が前方へ倒れることを防ぐために十分な長さとすべきであり、少なくとも、フック２２２の長さ以上とするとよい。
【００４５】
図１０に示されるように、構造体２００は、他の構造体２００Ｒ、２００Ｌを水平方向（Ｘ方向：左右方向）に隣接配置（以下「水平配置」という。）させるための磁石（水平固定部）２３０Ｒ、２３０ｌＬを有している。
【００４６】
更に、図８及び図１１に示されるように、構造体２００は、他の構造体２００Ｂを奥行方向に背中合わせに（即ち、背面同士が接触又は近接するように）隣接配置（以下「背面配置」という。）させるための磁石（奥行固定部）２１２を有している。
【００４７】
以上説明したように、本実施の形態による構造体１００は、水平配置及び背面配置のいずれの方法によっても組み合わせて固定することができる。
【００４８】
続いて、図９を参照して、構造体２００の組立工程を簡単に説明する。本実施の形態による構造体２００は、図９に示されるように複数の部品から構成されている。構造体２００は、前側本体部３００ｆと、後側本体部３００ｂと、前側本体部３００ｆ及び後側本体部３００ｂそれぞれの下部を束ねるようにして固定するホルダー３０４と、前側本体部３００ｆ及び後側本体部３００ｂそれぞれの上部を連結するトップブラケット３０６と、ベース２９０が組み合わされることによって箱形状の外見を構成する。トップブラケット３０６にはトップバネル３０８が固定され、トップバネル３０８にはポップホルダー（ポップ用取付部）３１０が固定される。ポップホルダー３１０は、断面がコの字型を有しており、ポップ３２０をはさむことによりこれを把持する。ポップ３２０には、展示面２２０に展示される商品に関する情報が記載される。
【００４９】
前側本体部３００ｆから下方に伸びる舌部３０１ｆは、Ｚ方向において外側（−Ｚ方向）に若干曲げられており、後側本体部３００ｂから下方に伸びる舌部３０１ｂもの下側Ｚ方向において外側（＋Ｚ方向）に若干曲げられている。これにより、これら舌部３０１ｆ、３０１ｂがホルダー３０４に挿入された際に、外側への復元力を利用して互いに固定される。本実施の形態による前側本体部３００ｆと、後側本体部３００ｂと、ベース２９０と、トップブラケット３０６は、溶接により形成されるものであるが、その他の方法で組み立てられていてもよい。
【００５０】
本実施の形態においては、前側本体部３００ｆの右側面２１２ｏ及び左側側面２１４ｏと後側本体部３００ｂの右側面２１２ｉ及び左側側面２１４ｉとがそれぞれかさなるようにして、構造体２００の右側面２１２及び左側面２１４（図８参照）を形成する。このとき、前側本体部３００ｆの右側面２１２ｏ及び左側側面２１４ｏは、後側本体部３００ｂの右側面２１２ｉ及び左側側面２１４ｉよりも外側に位置している。換言すれば、図８に現れている右側面２１２及び左側面２１４は、前側本体部３００ｆの右側面２１２ｏ及び左側側面２１４ｏである。磁石２３０Ｒ及び磁石２３０Ｌのそれぞれは、後側本体部３００ｂの右側面２１２ｏ及び左側側面２１４ｏそれぞれの内側に固定される。磁石２１２は、背面２１６の内側に固定される。
【００５１】
＜水平配置＞
図１０に示されるように、構造体２００同士を水平配置する場合、一方の構造体２００の右側面２１２を他方の構造体２００Ｒの左側面に接触させる。このとき、構造体２００の磁石２３０Ｒが他の構造体２００Ｒの左側面又は磁石のいずれかと接触し、磁力によって固定される。本実施の形態においては、水平配置にかかる固定手段に磁石を利用しているため、構造を簡単にすることができる。
【００５２】
本実施の形態においては、ポップホルダー３１０（図９参照）が左右方向に沿って同一直線状に並ぶため、例えば、図１１に示されるように、複数の構造体２００で一つのポップ３２１を把持することとしてもよい。
【００５３】
＜背面配置＞
図１２に示されるように、構造体２００同士を背面配置する場合、一方の構造体２００の背面２１６を他方の構造体２００ｂの背面に接触させる。このとき、構造体２００の磁石２１２が他の構造体２００ｂの左側面又は磁石のいずれかと接触し、磁力によって固定される。
【００５４】
本実施の形態においては、図１４に示されるように、構造体の側面に設けられた磁石２３０Ｌ（２３０Ｒ）の高さを変更し、背面の磁石２１２を中心よりずらす（中心線から離れて配置する）ことにより、水平配された他の構造体（背面側の構造体は図示せず）の磁石２３０Ｌ’（２３０Ｒ’）や、背面配置された他の構造体の磁石２１２’と互い違いになることから、磁石の同一極性（Ｎ−Ｎ／Ｓ−Ｓ）による反発力を気にせず固定することが可能となる。
【００５５】
また、構造体は側面にも磁石が設けられていることから、図１５に示されるように、第１の実施の形態と同様、Ｌ字配置も可能であるし、Ｔ字配置（図示せず）も可能である
【００５６】
以上説明したように、第２の実施の形態によれば、図１３から理解されるように、側面に突起状の構造が不要なより簡単な構造で構造体を構成することができる。
【００５７】
以上の説明は、水平配置及び背面配置のみの実施形態に関するものであったが、例えば、トップブラケット３０６の内側に磁石を固定するとともにポップホルダー３１０を取り外せば、他の構造体を垂直方向に配置することも可能である。この際、最下部に配置される構造体以外の構造体については、ベース２９０を省略してもよい。
【００５８】
以上説明したように、本発明による商品陳列什器によれば、設置場所に応じて柔軟に形状を変更することができることから、スペースの有効活用を図ることができる。
【００５９】
構造体の隣接配置させるための手段は上述した実施の形態において説明したもの以外にもその他の係止手段、連結手段、固定手段、接着手段、仮止め手段等が採用できる。例えば、連結手段を別体の連結パーツ（樹脂製のスリ割形状パーツや、ダボ形状の部材等）とすることにより、構造体同士を当該連結パーツによって強固に連結することとしてもよい。
【００６０】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれる。
【符号の説明】
【００６１】
１        商品陳列什器
１００、２００、２００Ｒ、２００Ｌ、２００ｂ        構造体
１１０、２１０        正面
１１２、２１２        右側面
１１４、２１４        左側面
１１６、２１６        背面
２１８        上側面
２１９        下側面
１２０、２２０        展示面
１２２、２２２        フック
１３０        凸部（水平固定部）
１３５        凹部（水平固定部）
１３７        スリット
１３８        係止突起
１５０        鍔状部（垂直固定部）
１５５        受部（垂直固定部）
１６０        スリット（奥行固定部）
１７０        係止凹部（奥行固定部）
１７５        係止突起（奥行固定部）
１８０        スリット（奥行固定部）
２３０Ｒ、２３０Ｌ        磁石（水平固定部）
２５０        磁石（垂直固定部）
２８０        磁石（奥行固定部）
２９０        脚部
３００ｆ        前側本体部
３００ｂ        後側本体部
３０４        ホルダー
３０６        トップブラケット
３０８        トップパネル
３１０        ポップホルダー
３２０        ポップ
【図１】
2018015519.tif 000003
【図２】
2018015519.tif 000004
【図３】
2018015519.tif 000005
【図４】
2018015519.tif 000006
【図５】
2018015519.tif 000007
【図６】
2018015519.tif 000008
【図７】
2018015519.tif 000009
【図８】
2018015519.tif 000010
【図９】
2018015519.tif 000011
【図１０】
2018015519.tif 000012
【図１１】
2018015519.tif 000013
【図１２】
2018015519.tif 000014
【図１３】
2018015519.tif 000015
【図１４】
2018015519.tif 000016
【図１５】
2018015519.tif 000017
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
複数の構造体を組み合わせてなる商品陳列什器であって、
前記構造体は、商品を展示する展示面と、他の前記構造体を水平方向、垂直方向又は奥行方向の少なくともいずれかにおいて隣接配置させるための固定部を有する
商品陳列什器であって、
他の前記構造体を水平方向において隣接配置させるための水平固定部と、他の前記構造体を垂直方向に隣接配置させるための垂直固定部と、他の前記構造体を奥行方向に隣接配置させるための奥行固定部とを有し、
前記複数の構造体は、互いに同一形状を有し、金属板を折り曲げ加工することによって前記展示面を有する正面と背面と前記正面及び前記背面を接続する２つの側面とを含む略筒状の形状を有しており、
前記奥行固定部は、前記背面に形成された係止凹部を含み、当該係止凹部に前記他の構造体の前記凸部が嵌合することによって垂直方向に沿って見た場合に前記構造体と前記他の構造体とが略Ｔ字形状を構成するように、前記構造体と前記他の構造体とを固定する、
商品陳列什器。
【請求項２】
複数の構造体を組み合わせてなる商品陳列什器であって、
前記構造体は、商品を展示する展示面と、他の前記構造体を水平方向、垂直方向又は奥行方向の少なくともいずれかにおいて隣接配置させるための固定部を有し、
前記構造体は、商品を展示する展示面と、他の前記構造体を水平方向に隣接配置させるための水平固定部と、他の前記構造体を奥行方向に隣接配置させるための奥行固定部とを有し、
前記複数の構造体は、互いに同一形状を有し、前記展示面を有する面を正面とする略直方体の箱形状を有しており、
前記水平固定部及び奥行固定部は、前記構造体の少なくとも左右いずれかの側面の内側及び前記構造体の背面の内側に取り付けられた磁石であり、
前記構造体の上側面に設けられ断面がコの字型を有する取り外し可能なポッププレート用取付部であって、ポッププレートをはさむことにより当該ポッププレートを把持するポッププレート用取付部を更に有しており、
前記展示面には、前記商品を吊り下げ陳列するための少なくとも一のフックが形成されており、
前記構造体の下側面に設けられ前方に延びる脚部であって、前方への突き出し量が少なくとも前記フックの長さ以上である、
商品陳列什器。
【請求項３】
請求項１又は請求項２のいずれかに記載の商品陳列什器に用いるための前記構造体。
【手続補正書】
【提出日】平成29年7月23日(2017.7.23)
【手続補正１】
【補正対象書類名】特許請求の範囲
【補正対象項目名】全文
【補正方法】変更
【補正の内容】
【特許請求の範囲】
【請求項１】
複数の構造体を組み合わせてなる商品陳列什器であって、
前記構造体は、商品を展示する展示面と、他の前記構造体を水平方向、垂直方向又は奥行方向の少なくともいずれかにおいて隣接配置させるための固定部を有する
商品陳列什器であって、
他の前記構造体を水平方向において隣接配置させるための水平固定部と、他の前記構造体を垂直方向に隣接配置させるための垂直固定部と、他の前記構造体を奥行方向に隣接配置させるための奥行固定部とを有し、
前記複数の構造体は、互いに同一形状を有し、金属板を折り曲げ加工することによって前記展示面を有する正面と背面と前記正面及び前記背面を接続する２つの側面とを含む略筒状の形状を有しており、
前記水平固定部は、一の前記側面に形成され前記水平方向に突出し且つ前記垂直方向に延びる凸部であり、
前記奥行固定部は、前記背面の中心付近には前記垂直方向に延びるように形成された係止凹部を含み、当該係止凹部に前記他の構造体の前記凸部が嵌合することによって垂直方向に沿って見た場合に前記構造体と前記他の構造体とが略Ｔ字形状を構成するように、前記構造体と前記他の構造体とを固定する、
商品陳列什器。
【請求項２】
複数の構造体を組み合わせてなる商品陳列什器であって、
前記構造体は、商品を展示する展示面と、他の前記構造体を水平方向、垂直方向又は奥行方向の少なくともいずれかにおいて隣接配置させるための固定部を有し、
前記構造体は、商品を展示する展示面と、他の前記構造体を水平方向に隣接配置させるための水平固定部と、他の前記構造体を奥行方向に隣接配置させるための奥行固定部とを有し、
前記複数の構造体は、互いに同一形状を有し、前記展示面を有する面を正面とする略直方体の箱形状を有しており、
前記水平固定部及び奥行固定部は、前記構造体の左右の側面の内側及び前記構造体の背面の内側に取り付けられた磁石であり、
前記構造体の上側面に設けられ断面がコの字型を有する取り外し可能なポッププレート用取付部であって、ポッププレートをはさむことにより当該ポッププレートを把持するポッププレート用取付部を更に有しており、
前記展示面には、前記商品を吊り下げ陳列するための少なくとも一のフックが形成されており、
前記構造体の下側面に設けられ前方に延びる脚部であって、前方への突き出し量が少なくとも前記フックの長さ以上である、
商品陳列什器。
【請求項３】
請求項１又は請求項２のいずれかに記載の商品陳列什器に用いるための前記構造体。